(57)【特許請求の範囲】
【請求項１】
絶縁性のハウジングと、該ハウジングの前部に構成した固定ジャックと、該ハウジング内を前後に移動自在に配した可動ジャックと、で構成した複合ジャックであって、
前記固定ジャックを、該ハウジングの前部に構成した先端開口のプラグ挿入孔と、該プラグ挿入孔に、対応するプラグが挿入された場合に、該プラグの電極に接触すべく配した対応する数及び位置の接片部材と、で構成し、
前記可動ジャックを、該ハウジングの後部及び前部の固定ジャックのプラグ挿入孔の間を往復移動自在に配した可動ハウジングと、該可動ハウジングをプラグ挿入孔内に押し込むべく作用するバネ部材と、該可動ハウジングの前記プラグ挿入孔への進入状態を一時固定する一時固定手段と、該可動ハウジングに構成した先端開口の第２プラグ挿入孔と、該第２プラグ挿入孔に、対応する第２プラグが挿入された場合に、該第２プラグの電極に接触すべく配した対応する数及び位置の接片部材と、で構成してなる複合ジャックにおいて、
前記可動ジャックの一部の接片部材に前記可動ハウジングの周側外に弾力的に突出するスライド接点部を構成し、前記ハウジングの内部に、該可動ハウジングの前後方向の移動の際に、該スライド接点部が常時弾力的に接触する導電性帯状部材を配し、かつ該導電性帯状部材に該ハウジングの外部に延長する端子部を構成した複合ジャック。
【請求項２】
前記可動ジャックの前記一部の接片部材以外の接片部材に前記可動ハウジングの周側外に弾力的に突出する接点部を構成し、前記ハウジングの前部内側に、該可動ハウジングが前部のプラグ挿入孔内に移動した際に、該接点部が弾力的に接触する導電性接続片を配し、かつ該導電性接続片に該ハウジングの外部に延長する端子部を構成した請求項１の複合ジャック。
【請求項３】
前記固定ジャックがオーディオ信号及びビデオ信号の授受を行うＡＶジャックであり、前記可動ジャックが直流電源の授受を行うＤＣジャックであって、
前記固定ジャックの接片部材が、プラグ挿入孔に挿入されるＡＶプラグの周側に構成された複数のスリーブ電極に接触する同数のスリーブ接片及びＡＶプラグ先端のチップ電極に接触するチップ接片で構成され、
前記可動ジャックの前記一部の接片部材が前記第２プラグ挿入孔に挿入されるＤＣプラグ周側の外側電極に接触する外側接片で、前記一部の接片部材以外の接片部材が前記第２プラグ挿入孔に挿入されるＤＣプラグの先端の穴状の内側電極に挿入接触するピン状接片で構成されるものである請求項２の複合ジャック。
【請求項４】
前記一時固定手段を、前記可動ハウジングの周側部に開口した係止孔と、該可動ハウジングが前記バネ部材の作用で前記ハウジングの前部のプラグ挿入孔まで移動した状態で、該ハウジングの、該係止孔に対応する部位に開口した固定片挿入穴と、該固定片挿入穴に該係止孔まで挿入係止可能に配したスライド固定片であって、その先端を該係止孔にスライド挿入係止又はスライド離脱させるべく操作する操作部を該ハウジングの前面の属する平面と同一の平面内に備えたスライド固定片とで構成したものである請求項１の複合ジャック。
【請求項５】
前記可動ハウジングに、前記外側接片と対向状態に前記第２プラグ挿入孔に進出し、該第２プラグ挿入孔に挿入されたＤＣプラグを該外側接片とともに挟持状態に保持する導電性のプラグ保持バネを配し、
かつ該プラグ保持バネを該可動ハウジングに固定する該プラグ保持バネと一体の板状基部を該可動ハウジングの側面に露出状態に配置し、
他方、前記ハウジングに配した二つの位置検出用の導電性の検出接片バネであって、該可動ハウジングが前記固定ジャックのプラグ挿入孔に挿入されたＡＶプラグによって押されて後部に後退した際に前記板状基部に接触する位置に検出接片を突出させた二つの検出接片バネを配し、該二つの検出接片バネから延長する端子を各々該ハウジングの外部に延長した請求項３の複合ジャック。
【発明の詳細な説明】
【技術分野】
【０００１】
本発明は、携帯電話等の各種の小型電子機器に組み込まれる複合ジャックであって、ＤＣ電源の授受のために使用されるＤＣジャック及びＡＶ信号の授受のために使用されるＡＶジャック等の二種類のジャックを一つのジャックに構成した複合ジャックに関するものである。
【背景技術】
【０００２】
各種信号類と電源電力の授受又はＡＣ電源とＤＣ電源の授受を一つのコネクタ装置で行おうとする複合コネクタ装置の提案はいくつか見受けられる。
【０００３】
特許文献１は、複合プラグ、複合ケーブル、及びパーソナルコンピュータに関するものであり、そのうちの複合プラグは、データ伝送用プラグと電源供給用プラグとを並列に配して成るものであり、該データ伝送用プラグと該電源供給用プラグとは、それぞれのプラグ本体に構成した着脱手段で着脱自在に結合されているものである。
【０００４】
従ってこの特許文献１の複合プラグによれば、データ伝送用プラグと電源供給用プラグとを対応するジャックに同時に接続し、同時にデータ及び電源の授受を行うことができる利点があるが、両プラグは並列に配されているものであり、それぞれを個別に用いる場合とそれほど異ならない横方向のスペースを必要とする。それ故、近時の各種の携帯機器のように、厳しく小型化を要求される機器類に組み込む場合には、それに必要とする充分な組み込みスペースが得られない場合もあり得る。
【０００５】
特許文献２は、ＡＣ／ＤＣ複合プラグ、負荷機器及びテーブルタップに関するものであり、そのうち、ＡＣ／ＤＣ複合プラグは、交流電源を交流負荷に供給するためのＡＣコンセント部と、情報信号が直流電圧に重畳される直流電源を直流負荷に供給するためのＤＣコンセント部とが所定の間隔を開けて設けられたコンセント装置に接続されるＡＣ／ＤＣ複合プラグであって、前記コンセント装置と対向するプラグ本体の表面に、ＡＣコンセント部に接続されるＡＣプラグと、ＤＣコンセント部に接続されるＤＣプラグとが前記所定の間隔を開けて配設されたＡＣ／ＤＣ複合プラグである。
【０００６】
従ってこの特許文献２のＡＣ／ＤＣ複合プラグによれば、ＡＣ電源とＤＣ電源に重畳されている情報信号を必要とする場合は、それらを複合配設されているＡＣプラグとＤＣプラグを通じてその授受を行うことが可能である。もっとも情報信号は更にＤＣ電源から別に用意する分離回路を介して取り出すことが必要ではある。またＤＣ電源と情報信号とが必要な場合は、ＤＣプラグのみで両者の授受を行い、別に用意する分離回路で両者を分離し、それぞれ必要な回路に供給することができる。
【０００７】
しかしこの特許文献２のＡＣ／ＤＣ複合プラグは、ＡＣプラグとＤＣプラグとをプラグ本体の表面に所定の間隔を開けて配設したに過ぎないものであり、前記特許文献１の複合プラグと同様に、それぞれを個別に配して用いる場合とそれほど異ならない横方向のスペースを必要とする。従って各種の携帯機器等への組み込みのための小型化の要求に充分応えうるものとは言い難い。
【先行技術文献】
【特許文献】
【０００８】
【特許文献１】特開２００７−２８６７３３号公報
【特許文献２】特開２０１０−０４０２０４号公報
【発明の概要】
【発明が解決しようとする課題】
【０００９】
本発明は、ＤＣ電源とＡＶ信号等のように、それらの授受に用いられるプラグの径に一定以上の差があり、更に、多くの場合に、択一的に使用される信号等の授受に用いる二つのジャックを組み合わせた複合ジャックであって、横方向のスペースの拡大を殆ど生じさせずに、かつ対象となるＤＣ電源又はＡＶ信号等に用いられる既存のプラグをそのまま使用することが可能な複合ジャックを提供することを解決の課題とする。
【課題を解決するための手段】
【００１０】
本発明の１は、絶縁性のハウジングと、該ハウジングの前部に構成した固定ジャックと、該ハウジング内を前後に移動自在に配した可動ジャックと、で構成した複合ジャックであって、
前記固定ジャックを、該ハウジングの前部に構成した先端開口のプラグ挿入孔と、該プラグ挿入孔に、対応するプラグが挿入された場合に、該プラグの電極に接触すべく配した対応する数及び位置の接片部材と、で構成し、
前記可動ジャックを、該ハウジングの後部及び前部の固定ジャックのプラグ挿入孔の間を往復移動自在に配した可動ハウジングと、該可動ハウジングをプラグ挿入孔内に押し込むべく作用するバネ部材と、該可動ハウジングの前記プラグ挿入孔への進入状態を一時固定する一時固定手段と、該可動ハウジングに構成した先端開口の第２プラグ挿入孔と、該第２プラグ挿入孔に、対応する第２プラグが挿入された場合に、該第２プラグの電極に接触すべく配した対応する数及び位置の接片部材と、で構成してなる複合ジャックにおいて、
前記可動ジャックの一部の接片部材に前記可動ハウジングの周側外に弾力的に突出するスライド接点部を構成し、前記ハウジングの内部に、該可動ハウジングの前後方向の移動の際に、該スライド接点部が常時弾力的に接触する導電性帯状部材を配し、かつ該導電性帯状部材に該ハウジングの外部に延長する端子部を構成した複合ジャックである。
【００１２】
本発明の２は、本発明の１の複合ジャックにおいて、前記可動ジャックの前記一部の接片部材以外の接片部材に前記可動ハウジングの周側外に弾力的に突出する接点部を構成し、前記ハウジングの前部内側に、該可動ハウジングが前部のプラグ挿入孔内に移動した際に、該接点部が弾力的に接触する導電性接続片を配し、かつ該導電性接続片に該ハウジングの外部に延長する端子部を構成したものである。
【００１３】
本発明の３は、本発明の２の複合ジャックにおいて、前記固定ジャックがオーディオ信号及びビデオ信号の授受を行うＡＶジャックであり、前記可動ジャックが直流電源の授受を行うＤＣジャックであって、
前記固定ジャックの接片部材が、プラグ挿入孔に挿入されるＡＶプラグの周側に構成された複数のスリーブ電極に接触する同数のスリーブ接片及びＡＶプラグ先端のチップ電極に接触するチップ接片で構成され、
前記可動ジャックの前記一部の接片部材が前記第２プラグ挿入孔に挿入されるＤＣプラグ周側の外側電極に接触する外側接片で、前記一部の接片部材以外の接片部材が前記第２プラグ挿入孔に挿入されるＤＣプラグの先端の穴状の内側電極に挿入接触するピン状接片で構成されるものである。
【００１４】
本発明の４は、本発明の１の複合ジャックにおいて、
前記一時固定手段を、前記可動ハウジングの周側部に開口した係止孔と、該可動ハウジングが前記バネ部材の作用で前記ハウジングの前部のプラグ挿入孔まで移動した状態で、該ハウジングの、該係止孔に対応する部位に開口した固定片挿入穴と、該固定片挿入穴に該係止孔まで挿入係止可能に配したスライド固定片であって、その先端を該係止孔にスライド挿入係止又はスライド離脱させるべく操作する操作部を該ハウジングの前面の属する平面と同一の平面内に備えたスライド固定片とで構成したものである。
【００１５】
本発明の５は、本発明の３の複合ジャックにおいて、前記可動ハウジングに、前記外側接片と対向状態に前記第２プラグ挿入孔に進出し、該第２プラグ挿入孔に挿入されたＤＣプラグを該外側接片とともに挟持状態に保持する導電性のプラグ保持バネを配し、かつ該プラグ保持バネを該可動ハウジングに固定する該プラグ保持バネと一体の板状基部を該可動ハウジングの側面に露出状態に配置し、他方、前記ハウジングに配した二つの位置検出用の導電性の検出接片バネであって、該可動ハウジングが前記固定ジャックのプラグ挿入孔に挿入されたＡＶプラグによって押されて後部に後退した際に前記板状基部に接触する位置に検出接片を突出させた二つの検出接片バネを配し、該二つの検出接片バネから延長する端子を各々該ハウジングの外部に延長したものである。
【発明の効果】
【００１６】
本発明の１の複合ジャックによれば、二種類のジャックが授受の対象とする電気信号乃至電力等の都合により、それらに用いられるプラグ又はプラグ挿入孔の径に一定以上の差があり、大径の方のジャックのプラグ挿入孔に小径の方のジャックのハウジングを挿入可能な径に構成できる場合には、大径のプラグを用いる側のジャックを固定ジャックに、小径のプラグを用いる側のジャックを可動ジャックに構成することにより、これを適用することが可能であり、かつその二つのジャックの対象とする電気信号乃至電力の授受が択一的に行われ得るものである場合には極めて有効に使用することができる。
【００１７】
このような本発明の１の複合ジャックによれば、固定ジャックを使用する場合には、単に該固定ジャックに適合するプラグをハウジングの正面に開口するプラグ挿入孔に挿入すれば良い。このとき、前記バネ部材の作用により固定ジャックのプラグ挿入孔に進入状態になっていた可動ジャックは、該プラグの挿入に伴い、該プラグに押されてハウジングの後部に後退することとなるため、固定ジャックのプラグ挿入孔への対応するプラグの挿入には支障が生じることはない。
【００１８】
また可動ジャックを使用する場合は、固定ジャックのプラグ挿入孔中に前記バネ部材の作用により進出状態となっている可動ジャックを前記一時固定手段でその位置に一時固定した上で、該可動ジャックに適合する第２プラグを第２プラグ挿入孔に挿入すればよい。なお、固定ジャックのプラグ挿入孔にプラグが挿入していない限り、可動ジャックは固定ジャックのプラグ挿入孔に進出状態となっている。
【００１９】
従って本発明の１の複合ジャックによれば、固定ジャックと可動ジャックとは、横方向に並列に配置されるものではなく、一定の位置に、前者は固定状態に、後者は、前者のプラグ挿入孔の軸心に沿って移動自在に、それぞれ配するものであり、長さ方向のスペースは若干拡大するが、幅方向のスペースは拡大させない。そのため、横方向乃至幅方向のスペースには限りがあるが、若干深さ方向には余裕がある機器類に組み込むジャックには有効に適用することができる。
【００２０】
また本発明の１の複合ジャックによれば、可動ジャックはハウジング中を前後方向に移動自在であるが、その一部の接片部材は、該可動ジャックがどの位置にあっても、必要であれば、前記スライド接点部及び導電性帯状部材を介して常時外部の回路と電気的な接続状態を維持することができる。
【００２１】
本発明の２の複合ジャックによれば、可動ジャックはハウジングの前部に移動状態のときに本来の用途に使用可能であるが、その移動状態では、前記一部の接片部材以外の接片部材は、前記接点部及び導電性接続片を介して外部の回路と電気的な接続状態を確保することができる。
【００２２】
本発明の３の複合ジャックによれば、これは、ＤＣジャックとＡＶジャックとを複合させたものであり、両者を並列配置させずに、横方向の省スペースを図りながら、共存させているものである。ＤＣジャックは、この複合ジャックの組み込み対象である携帯機器類では、通常、内蔵バッテリの充電のために使用されるものであり、ＡＶジャックと同時に使用される可能性は低い。またＡＶジャックのプラグとＤＣジャックのプラグとの径の差は充分に大きいため、ＤＣジャックのハウジングをＡＶジャックのプラグ挿入孔内に挿入可能な径に構成することは可能である。それ故、ＤＣジャックとＡＶジャックの本発明の３への適用は適切に行い得られる。
【００２３】
本発明の４の複合ジャックによれば、可動ジャックを使用する場合には、ハウジングの前部のプラグ挿入孔内に位置する該可動ジャックをスライド固定片でその位置に一時固定することで、安定して使用できるようにすることができる。スライド固定片は、その操作部をスライド操作することで、その先端を可動ハウジングの係止孔にスライド挿入係止又はスライド離脱させることが可能であり、そのような簡単な操作で、可動ジャックをハウジングの前部のプラグ挿入孔内に一時固定し又はその一時固定を解除することができる。
【００２４】
本発明の５の複合ジャックによれば、可動ジャックの第２プラグ挿入孔に第２プラグが挿入された場合に、該第２プラグを前記外側接片とプラグ保持バネが挟持し、無用な抜けが生じないように保持することができる。また可動ジャックがハウジングの後部に移動した際に、該可動ジャックに配した上記プラグ保持バネの板状基部に前記二つの検出接片バネが接触し、両検出接片バネ間が短絡することになる。この短絡は、それぞれの端子で検出可能であり、この短絡を検出することで、可動ジャックがハウジングの後部に移動したこと及びこれを通じて固定ジャックのプラグ挿入孔にプラグが挿入されたことを検出することができる。それ故、その検出の必要がある場合は、これを利用してその検出を確実に行うことができる。
【図面の簡単な説明】
【００２５】
【図１】(a)実施例の複合ジャックの正面図、(b)は背面図、(c)は平面図、(d)は底面図、(e)は右側面図、(f)は左側面図。
【図２】実施例の複合ジャックの後部カバーを外した状態の背面図。
【図３】(a)は図１(a)の可動ジャックの前部への進出状態のＡ−Ａ線断面図、(b)は図１(a)の可動ジャックの前部への進出状態のＢ−Ｂ線断面図。
【図４】(a)は図３(b)のＣ−Ｃ線断面図、(b)は図３(b)のＤ−Ｄ線断面図。
【図５】(a)は図１(a)の可動ジャックの後部への後退状態のＡ−Ａ線断面図、(b)は図１(a)の可動ジャックの後部への後退状態のＢ−Ｂ線断面図。、
【図６】実施例の複合ジャックの後部カバーを取り外した状態の左側面図。
【図７】(a)は実施例の複合ジャックの可動ジャックに挿入可能なＤＣプラグの側面図、(b)は実施例の複合ジャックの固定ジャックに挿入可能なＡＶプラグの側面図。
【図８】(a)携帯機器に組み込んだ複合ジャックの可動ジャックが前部へ進出した状態の正面図、(b)は(a)のＥ−Ｅ線断面図。
【図９】(a)携帯機器に組み込んだ複合ジャックの可動ジャックが後部に後退した状態の正面図、(b)は(a)のＦ−Ｆ線断面図。
【発明を実施するための形態】
【００２６】
本発明を実施するための形態を実施例に基づき図面を参照しながら詳細に説明する。
【００２７】
この実施例の複合ジャックは、ＤＣジャックとＡＶジャックに本発明を適用した例であり、図１〜図９に示すように、基本的に、絶縁性のプラスチックで成形したハウジング１と、該ハウジング１の前部に構成したＡＶジャックである固定ジャック２と、該ハウジング１内を前後に移動自在に配したＤＣジャックである可動ジャック３とで構成したものである。
【００２８】
前記固定ジャック２は、図３(a)、(b)、図４(b)、図５(a)、(b)、図７(b)、図８(b)及び図９(b)に示すように、基本的に、前記ハウジング１の前部に構成した先端開口のＡＶプラグ挿入孔（プラグ挿入孔）４と、該ＡＶプラグ挿入孔４に、対応するＡＶプラグｐ１が挿入された場合に、該ＡＶプラグｐ１の三個のスリーブ電極ｐ１１、ｐ１２、ｐ１３に接触すべく配した対応する位置の三個のスリーブ接片（接片部材）５ａ、５ｂ、５ｃ及び該ＡＶプラグｐ１のチップ電極ｐ１４に接触すべく配したチップ接片５ｄと、で構成したものである。
【００２９】
また前記可動ジャック３は、図３(a)、(b)、図４(b)、図５(a)、(b)、図７(a)、図８(b)及び図９(b)に示すように、基本的に、前記ハウジング１の後部の待避空間６及び前部の固定ジャック２のＡＶプラグ挿入孔４の間を往復移動自在に配した可動ハウジング７と、該可動ハウジング７を該ＡＶプラグ挿入孔４内に押し込むべく作用するコイルバネ（バネ部材）８と、該可動ハウジング７の前記ＡＶプラグ挿入孔４内への進入状態を一時固定する一時固定手段９と、該可動ハウジング７に構成した先端開口のＤＣプラグ挿入孔（第２プラグ挿入孔）１０と、該ＤＣプラグ挿入孔１０に、対応するＤＣプラグ（第２プラグ）ｐ２が挿入された場合に、該ＤＣプラグｐ２の外側電極ｐ２１に接触すべく配した対応する外側接片（接片部材）１１ａ及び内側電極ｐ２２に接触すべく配したプラグピン（ピン状接片、接片部材）１１ｂとで構成したものである。
【００３０】
以下、更に各部を詳細に説明する。
前記ハウジング１は、前記し、かつ特に図３(a)、(b)、図５(a)、(b)、図８(b)及び図９(b)に示すように、その前部に、正面に円形に開口する固定ジャック２のＡＶプラグ挿入孔４を形成し、更に該ＡＶプラグ挿入孔４の後端から後方にこれを延長する状態に前記待避空間６を形成したものである。該待避空間６は、特に図５(a)、(b)及び図９(b)から理解できるように、前記可動ジャック３のハウジングである可動ハウジング７がその中にちょうど納まる寸法形状とする。
【００３１】
図１(a)、(c)〜(f)、図３(a)、(b)、図４(a)、(b)、図５(a)、(b)、図６、図８(b)及び図９(a)、(b)に示すように、前記固定ジャック２は、前記ハウジング１の前部に前記ＡＶプラグ挿入孔４を形成してなるものであり、該ＡＶプラグ挿入孔４は、前記のように、基本的に、前記ＡＶプラグｐ１をスムーズに挿入可能な円筒状を基本とする孔空間であるが、該ＡＶプラグ挿入孔４は、その長さ方向の中間部付近以降については、正面から見て右側には、その長さ方向に沿って、後述する断面四角形のスライド溝６３が形成してあり、上側には、やはり、その長さ方向中間部付近以降に、その長さ方向に沿って、後述する断面四角形の移動溝６２が形成してある。また正面から見て左側には、ＡＶプラグ挿入孔４の正面の一部を除いては、前記可動ジャック３の可動ハウジング７の断面形状に対応させる趣旨で、断面四角形の大溝が形成してある。なお、前記待避空間６は、前記したように、該ＡＶプラグ挿入孔４の後端から、ほぼそれと同一断面空間形状で、後方にそれを延長する状態に形成したものである。
【００３２】
該ＡＶプラグ挿入孔４は、また、図７(b)に示す前記ＡＶプラグｐ１を挿入した場合のその三個のスリーブ電極ｐ１１、ｐ１２、ｐ１３の配置に対応する位置関係で三個のスリーブ接片５ａ、５ｂ、５ｃを配置し、かつその場合の該ＡＶプラグｐ１のチップ電極ｐ１４の配置に対応する位置関係でチップ接片５ｄを配してある。
【００３３】
該スリーブ接片５ａ、５ｂ、５ｃの各々は、前記ハウジング１への取り付け位置が異なるのみで全く同一の構成であり、特に図４(b)から理解できるように、ハウジング１の取付用スリットに配される帯状基部５ａ１、５ｂ１、５ｃ１と、その先端側から折り返し、その更に先端部直前に接触突部を突出させた接片部５ａ２、５ｂ２、５ｃ２と、該帯状基部５ａ１、５ｂ１、５ｃ１の後端から延長してハウジング１の下側部に突出させた端子部５ａ３、５ｂ３、５ｃ３とで構成したものである。
【００３４】
また、これらのスリーブ接片５ａ、５ｂ、５ｃは、 図３(b)、図４(b)、図５(b)、図８(b)及び図９(b)から理解できるように、ハウジング１に、ＡＶプラグ挿入孔４の軸方向に直交する向きに配し、それらの接片部５ａ２、５ｂ２、５ｃ２を、特に図４(b)にスリーブ接片５ｃで代表して示すように、ほぼＡＶプラグ挿入孔４の周側に沿った部分円弧状に構成し、それらの接触突部を該ＡＶプラグ挿入孔４の内部に突出させる。また前記帯状基部５ａ１、５ｂ１、５ｃ１は、図３(b)及び図５(b)に示すように、その両側部を取付用スリットの両側部に差し込むことで、該当位置に固定したものである。該スリーブ接片５ａ、５ｂ、５ｃは、以上のようにして、ハウジング１に固定され、前記したように配置される。そして、各々の端子部５ａ３、５ｂ３、５ｃ３は、前記し、図１(a)〜(e)、図２、図３(a)、図４(b)、図５(a)、図８(b)及び図９(b)に示すように、ハウジング１の下側部に突出状態となる。
【００３５】
前記チップ接片５ｄは、特に図４(a)に示すように、ハウジング１の取付用スリットに配される帯状基部５ｄ１と、その先端側から折り返し、その更に先端部直前に接触突部を突出させた接片部５ｄ２と、該帯状基部５ｄ１の後端から延長してハウジング１の下側部に突出させた端子部５ｄ３とで構成したものである。
【００３６】
また、このチップ接片５ｄは、 図３(b)、図４(a)、図５(b)、図８(b)及び図９(b)から理解できるように、スリーブ接片５ａ、５ｂ、５ｃと同様に、ハウジング１に、ＡＶプラグ挿入孔４の軸方向に直交する向きに配し、その接片部５ｄ２を、特に図４(a)に示すように、ほぼＡＶプラグ挿入孔４のチップ電極ｐ１４の対応する部分付近の周側に沿った部分円弧状に構成し、その接触突部を該ＡＶプラグ挿入孔４の内側に突出させる。また前記帯状基部５ｄ１は、図３(b)及び図５(b)に示すように、その両側部を取付用スリットの両側部に差し込むことで、該当位置に固定するものである。該チップ接片５ｄは、以上のようにして、ハウジング１に固定され、前記したように配置される。そして、前記端子部５ｄ３は、前記し、かつ図１(c)〜(e)、図３(a)、図４(a)、図５(a)、図８(b)及び図９(b)に示すように、ハウジング１の下側部に突出状態となる。
【００３７】
前記可動ジャック３の可動ハウジング７は、前記し、図３(a)、(b)、図４(b)、図５(a)、(b)、図８(b)及び図９(b)に示すように、前記ＡＶプラグ挿入孔４にスムーズに挿入可能な断面形状、すなわち、基本的に、円柱状を基本とし、正面から見て、左側には、長さ方向に沿って、断面四角形の突部を有する形状としたものである。また該可動ハウジング７は、図１(a)、図２、図４(b)及び図８(a)に示すように、正面から見て右斜め下方に、前記ＡＶプラグ挿入孔４中に進入する際に、前記ＡＶプラグ挿入孔４から突出するスリーブ接片５ａ、５ｂ、５ｂの接片部５ａ２、５ｂ２、５ｃ２及びチップ接片５ｄの接片部５ｄ２との干渉を回避する趣旨の凹部を形成しておくものとする。
【００３８】
前記コイルバネ８は、前記のように、可動ジャック３を前記ハウジング１の待避空間６から前部のＡＶプラグ挿入孔４まで押し込むバネ部材であり、その後端は、該待避空間６の後端を閉じる後部カバー６１のほぼ中央に突設した係止突起６１１に係止し、その前端は可動ジャック３の可動ハウジング７の後端に係止したものである。
【００３９】
このコイルバネ８のバネ荷重は、該可動ジャック３をＡＶプラグ挿入孔４に押し込むことが可能でありながら、使用者が、固定ジャック２のＡＶプラグ挿入孔４にＡＶプラグｐ１を挿入する際に、違和感を感じない程度の大きさとする。すなわち、ＡＶプラグｐ１をＡＶプラグ挿入孔４に挿入する際には、該ＡＶプラグｐ１で該ＡＶプラグ挿入孔４に進入状態の可動ジャック３を待避空間６まで押し込むことになるが、その押し込みのために無用に大きな力を必要としないようにするべきである。
【００４０】
前記ＤＣプラグ挿入孔１０は、図１(a)、図３(a)、(b)、図４(b)、図５(a)、(b)、図８(a)、(b)及び図９(b)に示すように、基本的に、前記可動ハウジング７に先端開口状態にに形成した円柱状の空間であり、その一側部には、前記外側接片１１ａのスリーブ接片部１１ａ１を突出させるための切欠が形成され、その反対側側部には、該外側接片１１ａのスリーブ接片部１１ａ１とともに、該ＤＣプラグ挿入孔１０に挿入されたＤＣプラグｐ２を保持するプラグ保持バネ１１ｃの保持片１１ｃ２を突出させるための切欠が形成されている。
【００４１】
前記一時固定手段９は、可動ジャック３のＤＣプラグ挿入孔１０にＤＣプラグｐ２を挿入するために、該可動ジャック３を前記ＡＶプラグ挿入孔４内に一時固定する手段であり、この一時固定を適切に行うことができれば、その構成は自由である。この実施例では、図１(e)、図３(a)、図５(a)、図８(a)、(b)及び図９(a)、(b)に示すように、前記可動ハウジング７の側部に開口した係止孔９１と、該可動ハウジング７が前記コイルバネ８の作用で前部のＡＶプラグ挿入孔４内まで移動した状態で該係止孔９１に対応することとなる前記ハウジング１の部位に開口した固定片挿入穴９２と、該固定片挿入穴９２に、該係止孔９１まで挿脱自在に配したスライド固定片９３とで構成したものである。
【００４２】
前記固定片挿入穴９２は、特に、図１(e)、図３(a)、図５(a)、図８(b)及び図９(b)に示すように、ハウジング１の側部の内外、すなわち、前記ＡＶプラグ挿入孔４内と外部とを貫通すべく該ＡＶプラグ挿入孔４と直交する向きに形成した穴である。該固定片挿入穴９２は、前記のように、可動ジャック３がコイルバネ８の作用でＡＶプラグ挿入孔４内に押し込まれている場合に、前記係止孔９１と一致する位置に位置し、前記のように、該固定片挿入穴９２に配したスライド固定片９３を該係止片９１内にスライド挿入することにより、該可動ジャック３をＡＶプラグ挿入孔４内に一時固定することができるようにしたものである。
【００４３】
前記スライド固定片９３は、図８(b)及び図９(b)に示すように、棒状の部材であるが、その外端をクランク状に屈曲し、その最外端の外面側（該ＡＶプラグ挿入孔４の正面開口部側と一致する側の面）を該ＡＶプラグ挿入孔４の正面開口部の周囲の面が属する面内に位置するように位置決めし、その外面側の部位に浅い多数の溝を連設形成して操作部９３１に構成し、この操作部９３１を利用して、前記のように、該スライド固定片９３をスライド操作し、その先端の前記係止孔９１への挿脱操作をできるようにしたものである。
【００４４】
前記外側接片１１ａは、図３(a)、図４(b)、図５(a)、図８(b)及び図９(b)に示すように、可動ジャック３の可動ハウジング７の一側部に配置され、その先端側であるＤＣプラグ挿入孔１０内に進出するスリーブ接片部１１ａ１と、該スリーブ接片部１１ａ１の基部側を折り返して、該可動ハウジング７の側部外に進出すべく構成したスライド接点部１１ａ２とで構成したものである。該スリーブ接片部１１ａ１は、可動ハウジング７の後方から前方に向かってＤＣプラグ挿入孔１０内に徐々に進出するように構成し、その先端直前に膨出した接点部が、該ＤＣプラグ挿入孔１０内に挿入されるＤＣプラグｐ２の外側電極ｐ２１に圧接し、電気的に接続状態となる。なお、該スリーブ接片部１１ａ１は、該可動ハウジング７に形成した切欠を通じてＤＣプラグ挿入孔１０内に進出する。前記スライド接点部１１ａ２には、その先端直前が膨出部となっており、この膨出部が後述する導電性帯状部材１２と接触するようになっている。なお、云うまでもなく、この外側接片１１ａは、導電性のバネ材で構成してある。
【００４５】
以上の外側接片１１ａには、そのスリーブ接片部１１ａ１と反対側の位置に前記プラグ保持バネ１１ｃが配置してある。図３(a)、図４(b)、図５(a)、図８(b)及び図９(b)に示すように、該プラグ保持バネ１１ｃは、可動ハウジング７の側部（該スリーブ接片部１１ａ１と反対側側部）に配置し、該可動ハウジング７に形成した切欠からＤＣプラグ挿入孔１０内に進出状態になっている。該プラグ保持バネ１１ｃは、同図に示すように、板状基部１１ｃ１と、該板状基部１１ｃ１の内側にＵ字状に切り込みを入れ、その内側の舌片状の部分を引き起こしてなる保持片１１ｃ２とで構成する。この保持片１１ｃ２は、その先端部直前を膨出部とする。この保持片１１ｃ２は、可動ハウジング７に形成された切欠を通じてＤＣプラグ挿入孔１０内に進出する訳であるが、前記外側接片１１ａのスリーブ接片部１１ａ１とは逆にＤＣプラグ挿入孔１０の先端側から後端側に向かって該ＤＣプラグ挿入孔１０内に進出するように配置する。なお、前記板状基部１１ｃ１は、可動ハウジング７の後側部外面の平坦な部分（断面四角形の突部となっている外面）に配し、後述する二つの検出接片１３ａ１、１３ｂ１と共に可動ジャック３が後部に移動したことを検出する検出手段を構成するようになっている。
【００４６】
前記プラグピン１１ｂは、図３(a)、(b)、図４(b)、図５(a)、(b)、図８(b)及び図９(b)に示すように、可動ハウジング７の後端から前方に向かって突出させたピン状の電極である。このプラグピン１１ｂは、ＤＣプラグ挿入孔１０の中央に配してあり、該ＤＣプラグ挿入孔１０に挿入されたＤＣプラグｐ２の内側電極ｐ２２に嵌合状態となって電気的に接続するものである。該プラグピン１１ｂの後端は、図３(b)及び図５(b)に示すように、連結片１４を結合し、該連結片１４を上方に延長し、その後、後方に延長した上でＵ字形に屈曲し、その外側の片を更に前方に延長し、その先端直前の部分を外方に膨出して接点部１４１を構成したものである。この接点部１４１は、可動ジャック３が前方に移動してＡＶプラグ挿入孔４内に進入した場合に後述する導電性接続片１５と接触するようになっている。
【００４７】
上記導電性接続片１５は、図１(f)、図３(b)、図４(b)、図５(b)及び図６に示すように、ハウジング１の上部内の板状の部位及び一方の側部外面に位置する同様に板状の部位で構成した板状基部１５１と、ハウジング１の上部内の板状の部位を帯状に切り出し、この帯状の部位の中央を下方に膨出させた接片部１５２と、板状基部１５１の側部側の下部から側方に突出させた端子部１５３とで構成したものである。なお、該ハウジング１の上記接片部１５２の後方は、ＡＶプラグ挿入孔４及び待避空間６の内周面を切り欠いて前記した移動溝６２が形成してあり、可動ジャック３の移動に伴って、前記連結片１４の接点部１４１は該移動溝６２を通じて支障なく移動し、該接片部１５２のいずれかの部位に接触できるようになっている。また板状基部１５１の上部側はその前後端がハウジング１に形成したスリット部に挿入係止状態となっている。板状基部１５１の側部側の両側上下部もハウジング１に形成した溝に係止状態となっている。
【００４８】
前記プラグ保持バネ１１ｃの板状基部１１ｃ１のうち、前記可動ハウジング７の外側面に位置する部位は、前記のように、可動ジャック３が後部の待避空間６に移動したことを検出する検出手段の一部をなすものであるが、この検出手段の他の要素は、前記のように、二つの検出接片１３ａ１、１３ｂ１を含む要素である。
【００４９】
この検出接片１３ａ１、１３ｂ１は、図１(f)、図３(a)、図５(a)、図６、図８(b)及び図９(b)に示すように、ハウジング１の後側部にそれぞれ配置する。特に図１(f)及び図６に示すように、該ハウジング１の後側部外面にバネ基部１３ａ２、１３ｂ２を配列固定し、前側のバネ基部１３ａ２の高さを高く、後側のバネ基部１３ｂ２の高さをそれより低く構成し、それぞれの上端から前記検出接片１３ａ１、１３ｂ１を後方に向かって延長状態に構成し、かつそれぞれのバネ基部１３ａ２、１３ｂ２の下端から水平外方に伸びる端子部１３ａ３、１３ｂ３を突出させて、検出接片バネ１３ａ、１３ｂを構成する。
【００５０】
なお、上記検出接片１３ａ１、１３ｂ１は、それぞれ図３(a)、図５(a)、図８(b)及び図９(b)に示すように、ハウジング１の該当する部位に形成した切欠を通じて、平面視で、斜めに待避空間６に進入するように構成する。しかして、図５(a)及び図９(b)に示すように、ＡＶプラグｐ１に押されて可動ジャック３が待避空間６まで後退すると、その可動ハウジング７の側面に配した前記プラグ保持バネ１１ｃの板状基部１１ｃ１の内、該可動ハウジング７の側面に位置する部位が該検出接片１３ａ１、１３ｂ１に接触することになり、両検出接片１３ａ１、１３ｂ１が短絡する。こうして両端子部１３ａ３、１３ｂ３でその短絡が検出されることになり、可動ジャック３が待避空間６に後退したことを検知することができることになる。
【００５１】
前記導電性帯状部材１２は、図３(a)、図５(a)、図８(b)及び図９(b)に示すように、ハウジング１の一側部の、プラグピン１１ｂに接続するスライド接点部１１ａ２がスライド移動する部位に前記スライド溝６３を形成し、その底部に沿って配した金属帯材である。該スライド溝６３は、より詳細には、同図に示すように、ハウジング１の内部に形成したＡＶプラグ挿入孔４の後部側内周面及び待避空間６の内周面の内の該当部位を切り欠いて形成したものである。なお、該導電性帯状部材１２は、ハウジング１の後部で外部に延長し、該ハウジング１の下部外側に突出する端子部１２１を構成してある。
【００５２】
しかして可動ジャック３のハウジング１の前後方向の移動に伴って前記スライド接点部１１ａ２も同様に移動するが、該スライド接点部１１ａ２は、常時、前記導電性帯状部材１２に接しているので、前記プラグピン１１ｂは、該スライド接点部１１ａ２、該導電性帯状部材１２を介して外部の回路への電気的接続状態を維持することができる。
【００５３】
この実施例の複合ジャックによれば、径に一定以上の差のあるＡＶプラグｐ１とＤＣプラグｐ２が嵌合対象であるＡＶジャックとＤＣジャックとを組み合わせ、前者のＡＶプラグ挿入孔４と後者のＤＣプラグ挿入孔１０とが同軸となるように固定ジャック２と可動ジャック３とを配置することにより、横方向の設置スペースの拡大を回避したものである。
【００５４】
またこの実施例の複合ジャックによれば、後者の可動ジャック３を、使用時には、前者の固定ジャック２のＡＶプラグ挿入孔４内に一時固定できるようにすることにより、その安定した使用を確保し、固定ジャック２を使用する場合は、そのプラグ挿入孔であるＡＶプラグ挿入孔４内にＡＶプラグｐ１を挿入すると、これにより、同時に、その内部に位置する可動ジャック３をハウジング１の後方に位置する待避空間６内に後退させ得るようにしたことにより、その安定した使用を確保したものである。
【００５５】
しかしてＡＶ信号の授受のための固定ジャック２とＤＣ電源の授受のための可動ジャック３とは同時に使用することはできないが、通常、ＤＣ電源は、組み込み対象の携帯機器のバッテリへの充電の際にのみ使用する関係上、可動ジャック３の使用を必要とするのは、ＡＶ信号の授受を行い得ないか又はしない場合であり、両者は、通常、その使用が択一的に必要となると考えることができる。それ故、このことによる不都合はないと判断することができる。
【００５６】
この実施例の複合ジャックによれば、固定ジャック２を使用する場合は、前記したように、単に該固定ジャック２に適合するＡＶプラグｐ１をハウジング１の正面に開口するＡＶプラグ挿入孔４に挿入すれば良い。このとき、前記コイルバネ８の作用により該固定ジャック２のＡＶプラグ挿入孔４中には可動ジャック３が進入状態になっているが、前記一時固定手段９のスライド固定片９３を特に操作せず、その先端を可動ジャック３の係止孔９１に挿入しないでおけば（一時固定操作しなければ）、図５(a)、(b)及び図９(b)に示すように、該可動ジャック３は、該ＡＶプラグｐ１の挿入に伴い、該ＡＶプラグｐ１に押されてハウジング１の後部の待避空間６まで後退することとなる。そのため固定ジャック２のＡＶプラグ挿入孔４への対応するＡＶプラグｐ１の挿入には全く支障がない。前記スリーブ接片５ａ、５ｂ、５ｃの接片部５ａ２、５ｂ２、５ｃ２、前記チップ接片５ｄの接片部５ｄ２及び前記導電性接続片１５の接片部１５２による保持力を適切に設定しておけば、ＡＶプラグｐ１が前記コイルバネ８の作用で押し戻されてしまうようなこともない。
【００５７】
また可動ジャック３を使用する場合は、固定ジャック２のＡＶプラグ挿入孔４中に前記コイルバネ８の作用により進出状態となっている可動ジャック３を前記一時固定手段９でその位置に一時固定した上で、該可動ジャック３に適合するＤＣプラグｐ２をＤＣプラグ挿入孔１０に挿入すればよい。固定ジャック２のＡＶプラグ挿入孔４にＡＶプラグｐ１が挿入してあった場合は、これを抜いてから以上の操作を行うべきことは言うまでもない。
【００５８】
なお、固定ジャック２のＡＶプラグ挿入孔４にＡＶプラグｐ１が挿入していない限り、可動ジャック３は前記コイルバネ８の作用で固定ジャック２のＡＶプラグ挿入孔４に進出挿入状態となっている。なおまた以上の一時固定手段９による一時固定は、その操作部９３１を、例えば、図８(a)中では左方向にスライド操作し、同図(b)に示すように、スライド固定片９３を左方向にスライド移動させることにより、その先端を可動ジャック３の可動ハウジング７に開口した係止孔９１に進入させて行うものであり、その操作は極めて簡単で、一時固定は確実である。また解除は、その逆の操作であり、これも簡単であり、その解除も確実である。またこの一時固定手段９の構成も簡明である。
【００５９】
従ってこの実施例の複合ジャックによれば、前記したように、固定ジャック２と可動ジャック３とは、横方向に並列に配されるものではなく、前者のＡＶプラグ挿入孔４と後者のＤＣプラグ挿入孔１０とが同軸上に並ぶようにしつつ、前者は固定状態に、後者は、該軸に沿って移動自在に、それぞれ配するものであり、長さ方向のスペースは若干拡大するが、幅方向のスペースは拡大させない。そのため、横方向乃至幅方向のスペースに限りがあるが、若干深さ方向に余裕がある場合には極めて有効に適用することができる。
【００６０】
この実施例の複合ジャックによれば、可動ジャック３はハウジング１中を前後方向に移動自在に構成してあるが、そのＤＣプラグ挿入孔１０に挿入されるＤＣプラグｐ２の外側電極ｐ２１に接触する外側接片１１ａは、そこから延長したスライド接点部１１ａ２が可動ハウジング７の側部外に進出状態になり、かつ前記導電性帯状部材１２に接触状態となっている。該導電性帯状部材１２は、ＡＶプラグ挿入孔４の後部側内周面及び待避空間６の内周面に連続して配してあるため、該可動ジャック３が前後方向に移動し、どの位置にあっても、該スライド接点部１１ａ２は、常時、該導電性帯状部材１２に接触しており、必要があれば、ＤＣプラグｐ２の外側電極ｐ２１を該スライド接点部１１ａ２及び導電性帯状部材１２を介して常時外部の回路と電気的な接続状態を維持することができる。
【００６１】
この複合ジャックによれば、更に該可動ジャック３は、ハウジング１の前部のＡＶプラグ挿入孔４中に移動状態のときに本来の用途、すなわち、ＤＣ電源の授受に使用可能であるが、その状態では、そのＤＣプラグ挿入孔１０に挿入されるＤＣプラグｐ２の内側電極ｐ２２に接触するプラグピン１１ｂは、連結片１４、該連結片１４の延長先の接点部１４１及びこれがこの状態で接触する導電性接続片１５を介して外部の回路と電気的な接続状態を確保することができる。
【００６２】
前記したように、この実施例の複合ジャックによれば、図５(a)及び図９(b)に示すように、ＡＶプラグｐ１に押されて可動ジャック３が待避空間６まで後退すると、プラグ保持バネ１１ｃの板状基部１１ｃ１の可動ハウジング７の側面に位置する部位が前記検出接片１３ａ１、１３ｂ１に接触し、これらが短絡することになる。この短絡が両端子部１３ａ３、１３ｂ３で検出され、可動ジャック３が待避空間６に後退したことを検知することができる。可動ジャック３の待避空間６への後退を検出する必要のある場合は、これを利用してその検出を確実に行うことができる。
【産業上の利用可能性】
【００６３】
この発明は、電子機器、特に携帯機器に組み込むジャック類の製造、並びにその電子機器への組み込みの分野で利用できる。
【符号の説明】
【００６４】
１    ハウジング
２    固定ジャック
３    可動ジャック
４    ＡＶプラグ挿入孔（プラグ挿入孔）
５ａ、５ｂ、５ｃ  スリーブ接片（接片部材）
５ａ１、５ｂ１、５ｃ１  帯状基部
５ａ２、５ｂ２、５ｃ２  接片部
５ａ３、５ｂ３、５ｃ３  端子部
５ｄ  チップ接片
５ｄ１  帯状基部
５ｄ２  接片部
５ｄ３  端子部
６    待避空間
６１  後部カバー
６１１  係止突起
６２  移動溝
６３  スライド溝
７    可動ハウジング
８    コイルバネ（バネ部材）
９    一時固定手段
９１  係止孔
９２  固定片挿入穴
９３  スライド固定片
９３１  操作部
１０  ＤＣプラグ挿入孔（第２プラグ挿入孔）
１１ａ  外側接片（接片部材）
１１ａ１  スリーブ接片部
１１ａ２  スライド接点部
１１ｂ  プラグピン（ピン状接片、接片部材）
１１ｃ  プラグ保持バネ
１１ｃ１  板状基部
１１ｃ２  保持片
１２  導電性帯状部材
１２１  端子部
１３ａ、１３ｂ  検出接片バネ
１３ａ１、１３ｂ１  検出接片
１３ａ２、１３ｂ２  バネ基部
１３ａ３、１３ｂ３  端子部
１４  連結片
１４１  接点部
１５  導電性接続片
１５１  板状基部
１５２  接片部
１５３  端子部
ｐ１  ＡＶプラグ
ｐ１１、ｐ１２、ｐ１３  スリーブ電極
ｐ１４  チップ電極
ｐ２  ＤＣプラグ（プラグ）
ｐ２１  外側電極
ｐ２２  内側電極
【図１】
0005164284.tif 000002
【図２】
0005164284.tif 000003
【図３】
0005164284.tif 000004
【図４】
0005164284.tif 000005
【図５】
0005164284.tif 000006
【図６】
0005164284.tif 000007
【図７】
0005164284.tif 000008
【図８】
0005164284.tif 000009
【図９】
0005164284.tif 000010